【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
少なくとも第１のアクセスユニットと第２のアクセスユニットから構成される入力データのうちの前記第１のアクセスユニットから、複数の処理データからなる処理領域を１以上設定する設定手段と、
前記設定手段により設定された１以上の前記処理領域のそれぞれを処理対象に１つずつ順次設定し、前記第２のアクセスユニットから処理対象の前記処理領域に対応する分析領域を設定し、処理対象の前記処理領域を構成する複数の前記処理データの表現形式を変換するための基底を分析領域毎に個別に生成する分析手段と、
前記設定手段により設定された１以上の前記処理領域のそれぞれを処理対象に１つずつ順次設定し、前記分析手段により生成された分析領域毎の前記基底のうちの所定の１つを利用して、処理対象の前記処理領域を構成する複数の前記処理データのそれぞれの表現形式を変換する変換手段と
を備えることを特徴とするデータ変換装置。
【請求項２】
少なくとも第１のアクセスユニットと第２のアクセスユニットから構成される入力データのうちの少なくとも一部の表現形式を変換するデータ変換装置のデータ変換方法であって、
前記第１のアクセスユニットから、複数の処理データからなる処理領域を１以上設定する設定ステップと、
前記設定ステップの処理により設定された１以上の前記処理領域のそれぞれを処理対象に１つずつ順次設定し、前記第２のアクセスユニットから処理対象の前記処理領域に対応する分析領域を設定し、処理対象の前記処理領域を構成する複数の前記処理データの表現形式を変換するための基底を分析領域毎に個別に生成する分析ステップと、
前記設定ステップにより設定された１以上の前記処理領域のそれぞれを処理対象に１つずつ順次設定し、前記分析手段により生成された分析領域毎の前記基底のうちの所定の１つを利用して、処理対象の前記処理領域を構成する複数の前記処理データのそれぞれの表現形式を変換する変換ステップと
を含むことを特徴とするデータ変換方法。
【請求項３】
少なくとも第１のアクセスユニットと第２のアクセスユニットから構成される入力データのうちの少なくとも一部の表現形式を変換するデータ装置を制御するコンピュータに実行させるプログラムであって、
前記第１のアクセスユニットから、複数の処理データからなる処理領域を１以上設定する設定ステップと、
前記設定ステップの処理により設定された１以上の前記処理領域のそれぞれを処理対象に１つずつ順次設定し、前記第２のアクセスユニットから処理対象の前記処理領域に対応する分析領域を設定し、処理対象の前記処理領域を構成する複数の前記処理データの表現形式を変換するための基底を分析領域毎に個別に生成する分析ステップと、
前記設定ステップにより設定された１以上の前記処理領域のそれぞれを処理対象に１つずつ順次設定し、前記分析手段により生成された分析領域毎の前記基底のうちの所定の１つを利用して、処理対象の前記処理領域を構成する複数の前記処理データのそれぞれの表現形式を変換する変換ステップと
を含むプログラムを記録していることを特徴とする記録媒体。
【請求項４】
少なくとも第１のアクセスユニットと第２のアクセスユニットから構成される入力データのうちの少なくとも一部の表現形式を変換するデータ装置を制御するコンピュータに実行させるプログラムであって、
前記第１のアクセスユニットから、複数の処理データからなる処理領域を１以上設定する設定ステップと、
前記設定ステップの処理により設定された１以上の前記処理領域のそれぞれを処理対象に１つずつ順次設定し、前記第２のアクセスユニットから処理対象の前記処理領域に対応する分析領域を設定し、処理対象の前記処理領域を構成する複数の前記処理データの表現形式を変換するための基底を分析領域毎に個別に生成する分析ステップと、
前記設定ステップにより設定された１以上の前記処理領域のそれぞれを処理対象に１つずつ順次設定し、前記分析手段により生成された分析領域毎の前記基底のうちの所定の１つを利用して、処理対象の前記処理領域を構成する複数の前記処理データのそれぞれの表現形式を変換する変換ステップと
を含むことを特徴とするプログラム。
【請求項５】
少なくとも第１のアクセスユニットと第２のアクセスユニットから構成されるデータが元データとされ、
前記第１のアクセスユニットから、複数の処理データからなる第１の処理領域が１以上設定され、
設定された１以上の前記第１の処理領域のそれぞれが処理対象に１つずつ順次設定され、前記第２のアクセスユニットから処理対象の前記第１の処理領域に対応する分析領域が設定され、処理対象の前記処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置であって、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換手段と
を備えることを特徴とするデータ逆変換装置。
【請求項６】
１以上の前記第２の処理領域のそれぞれに対して、それぞれに対応付けられた前記基底のそれぞれが重畳されたデータの代わりに、１以上の前記第２の処理領域のそれぞれに対して、それぞれに対応付けられた前記基底のそれぞれを生成するために必要な情報である基底生成用情報がそれぞれ対応付けられて重畳されたデータが、前記入力データのうちの少なくとも一部として入力される場合には、
前記分離手段は、前記入力データから、１以上の前記第２の処理領域のそれぞれと、それぞれに対応付けられた前記基底生成用情報のそれぞれとを分離し、
前記分離手段により前記入力データから分離された１以上の前記第２の処理領域にそれぞれ対応付けられた前記基底生成用情報を利用して、１以上の前記第２の処理領域にそれぞれ対応付けられた前記基底を生成する基底生成手段をさらに備え、
前記逆変換手段は、前記分離手段により前記入力データから分離された１以上の前記第２の処理領域のそれぞれを処理対象に１つずつ順次設定し、前記生成手段により生成された前記基底のうちの処理対象の前記第２の処理領域に対応付けられた基底を利用して、処理対象の前記第２の処理領域を構成する複数の前記処理データのそれぞれの表現形式を逆変換する
ことを特徴とする請求項５に記載のデータ逆変換装置。
【請求項７】
少なくとも第１のアクセスユニットと第２のアクセスユニットから構成されるデータが元データとされ、
前記第１のアクセスユニットから、複数の処理データからなる第１の処理領域が１以上設定され、
設定された１以上の前記第１の処理領域のそれぞれが処理対象に１つずつ順次設定され、前記第２のアクセスユニットから処理対象の前記第１の処理領域に対応する分析領域が設定され、処理対象の前記処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置のデータ逆変換方法であって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換ステップと
を含むことを特徴とするデータ逆変換方法。
【請求項８】
少なくとも第１のアクセスユニットと第２のアクセスユニットから構成されるデータが元データとされ、
前記第１のアクセスユニットから、複数の処理データからなる第１の処理領域が１以上設定され、
設定された１以上の前記第１の処理領域のそれぞれが処理対象に１つずつ順次設定され、前記第２のアクセスユニットから処理対象の前記第１の処理領域に対応する分析領域が設定され、処理対象の前記処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換ステップと
を含むプログラムを記録していることを特徴とする記録媒体。
【請求項９】
少なくとも第１のアクセスユニットと第２のアクセスユニットから構成されるデータが元データとされ、
前記第１のアクセスユニットから、複数の処理データからなる第１の処理領域が１以上設定され、
設定された１以上の前記第１の処理領域のそれぞれが処理対象に１つずつ順次設定され、前記第２のアクセスユニットから処理対象の前記第１の処理領域に対応する分析領域が設定され、処理対象の前記処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換ステップと
を含むことを特徴とするプログラム。
【請求項１０】
少なくとも第１のアクセスユニットと第２のアクセスユニットから構成される入力データのうちの前記第１のアクセスユニットから、複数の処理データからなる処理領域を１以上設定する設定手段と、
前記設定手段により設定された１以上の前記処理領域のそれぞれを処理対象に１つずつ順次設定し、処理対象の前記処理領域についての、前記第２のアクセスユニットに対する動きベクトルを推定する動きベクトル推定手段と、
前記設定手段により設定された１以上の前記処理領域のそれぞれを処理対象に１つずつ順次設定し、前記第２のアクセスユニットにおける、処理対象の前記処理領域の位置から前記動きベクトルに対応する分だけ離間している領域を分析領域として設定し、処理対象の前記処理領域を構成する複数の前記処理データの表現形式を変換するための基底を分析領域毎に個別に生成する分析手段と、
前記設定手段により設定された１以上の前記処理領域のそれぞれを処理対象に１つずつ順次設定し、前記分析手段により生成された分析領域毎の前記基底のうちの所定の１つを利用して、処理対象の前記処理領域を構成する複数の前記処理データのそれぞれの表現形式を変換する変換手段と
を備えることを特徴とするデータ変換装置。
【請求項１１】
前記入力データに対してアナログ歪みを生じさせるアナログ歪み生成手段
をさらに備えることを特徴とする請求項１０に記載のデータ変換装置。
【請求項１２】
前記設定手段は、前記第１のアクセスユニットを１以上のブロックに分割し、１以上のブロックのそれぞれを１以上の前記処理領域のそれぞれに設定する
ことを特徴とする請求項１０に記載のデータ変換装置。
【請求項１３】
前記設定手段は、前記処理領域として、第１の種類の第１の処理領域と、第２の種類の第２の処理領域とを設定し、
前記動きベクトル推定手段と前記分析手段は、前記第１の処理領域を利用し、
前記変換手段は、前記第２の処理領域を利用する
ことを特徴とする請求項１０に記載のデータ変換装置。
【請求項１４】
前記設定手段は、前記第１のアクセスユニットを１以上の第１のブロックに分割し、１以上の前記第１のブロックのそれぞれを１以上の前記第１の処理領域のそれぞれに設定し、
前記動きベクトル推定手段は、前記設定手段により設定された１以上の前記第１のブロックのそれぞれを処理対象に１つずつ順次設定し、処理対象の前記第１のブロックについての、前記第２のアクセスユニットに対する前記動きベクトルを推定し、
前記分析手段は、前記設定手段により設定された１以上の前記第１のブロックのそれぞれを処理対象に１つずつ順次設定することで、前記基底を分析領域毎に個別に生成し、
前記設定手段は、１以上の前記第１のブロックのそれぞれを処理対象に１つずつ順次設定し、前記第２のアクセスユニットにおける、処理対象の前記第１のブロックの位置から、処理対象の前記第１のブロックについての前記動きベクトルに対応する分だけ離間している第２のブロックを抽出し、処理対象の前記第１のブロックと前記第２のブロックとの差分を算出することで差分ブロックを生成し、その結果生成された１以上の前記差分ブロックのそれぞれを１以上の前記第２の処理領域のそれぞれに設定し、１以上の前記差分ブロックのそれぞれを複数の小ブロックに分割し、分割された複数の前記小ブロックのそれぞれを、前記第２の処理領域の複数の処理データのそれぞれとして設定し、
前記変換手段は、前記設定手段により設定された１以上の前記差分ブロックのそれぞれを処理対象に１つずつ順次設定し、前記分析手段により生成された分析領域毎の前記基底のうちの所定の１つを利用して、処理対象の前記差分ブロックを構成する複数の前記小ブロックのそれぞれの表現形式を変換する
ことを特徴とする請求項１３に記載のデータ変換装置。
【請求項１５】
前記分析手段は、処理対象の前記処理領域について、設定された前記分析領域を複数の分析データに分割し、複数の前記分析データを対象とする主成分分析を行うことで、処理対象の前記処理領域を構成する複数の前記処理データの表現形式を変換するための前記基底を生成する
ことを特徴とする請求項１０に記載のデータ変換装置。
【請求項１６】
前記変換手段により表現形式が変換された複数の前記処理データから構成される１以上の前記処理領域のそれぞれを処理対象に１つずつ順次設定し、処理対象の前記処理領域に対して、それを構成する複数の前記処理データの表現形式が前記変換手段により変換されたときに利用された前記基底を対応付けて重畳し、その結果得られるデータを出力する出力手段
をさらに備えることを特徴とする請求項１０に記載のデータ変換装置。
【請求項１７】
少なくとも第１のアクセスユニットと第２のアクセスユニットから構成される入力データのうちの少なくとも一部の表現形式を変換するデータ変換装置のデータ変換方法であって、
前記第１のアクセスユニットから、複数の処理データからなる処理領域を１以上設定する設定ステップと、
前記設定ステップの処理により設定された１以上の前記処理領域のそれぞれを処理対象に１つずつ順次設定し、処理対象の前記処理領域についての、前記第２のアクセスユニットに対する動きベクトルを推定する動きベクトル推定ステップと、
前記設定ステップの処理により設定された１以上の前記処理領域のそれぞれを処理対象に１つずつ順次設定し、前記第２のアクセスユニットにおける、処理対象の前記処理領域の位置から前記動きベクトルに対応する分だけ離間している領域を分析領域として設定し、処理対象の前記処理領域を構成する複数の前記処理データの表現形式を変換するための基底を分析領域毎に個別に生成する分析ステップと、
前記設定ステップの処理により設定された１以上の前記処理領域のそれぞれを処理対象に１つずつ順次設定し、前記分析ステップの処理により生成された分析領域毎の前記基底のうちの所定の１つを利用して、処理対象の前記処理領域を構成する複数の前記処理データのそれぞれの表現形式を変換する変換ステップと
を含むことを特徴とするデータ変換方法。
【請求項１８】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、複数の処理データからなる処理領域を１以上設定する設定ステップと、
前記設定ステップの処理により設定された１以上の前記処理領域のそれぞれを処理対象に１つずつ順次設定し、処理対象の前記処理領域についての、前記第２のアクセスユニットに対する動きベクトルを推定する動きベクトル推定ステップと、
前記設定ステップの処理により設定された１以上の前記処理領域のそれぞれを処理対象に１つずつ順次設定し、前記第２のアクセスユニットにおける、処理対象の前記処理領域の位置から前記動きベクトルに対応する分だけ離間している領域を分析領域として設定し、処理対象の前記処理領域を構成する複数の前記処理データの表現形式を変換するための基底を分析領域毎に個別に生成する分析ステップと、
前記設定ステップの処理により設定された１以上の前記処理領域のそれぞれを処理対象に１つずつ順次設定し、前記分析ステップの処理により生成された分析領域毎の前記基底のうちの所定の１つを利用して、処理対象の前記処理領域を構成する複数の前記処理データのそれぞれの表現形式を変換する変換ステップと
を含むプログラムを記録していることを特徴とする記録媒体。
【請求項１９】
少なくとも第１のアクセスユニットと第２のアクセスユニットから構成される入力データのうちの少なくとも一部の表現形式を変換する装置を制御するコンピュータに実行させるプログラムであって、
前記第１のアクセスユニットから、複数の処理データからなる処理領域を１以上設定する設定ステップと、
前記設定ステップの処理により設定された１以上の前記処理領域のそれぞれを処理対象に１つずつ順次設定し、処理対象の前記処理領域についての、前記第２のアクセスユニットに対する動きベクトルを推定する動きベクトル推定ステップと、
前記設定ステップの処理により設定された１以上の前記処理領域のそれぞれを処理対象に１つずつ順次設定し、前記第２のアクセスユニットにおける、処理対象の前記処理領域の位置から前記動きベクトルに対応する分だけ離間している領域を分析領域として設定し、処理対象の前記処理領域を構成する複数の前記処理データの表現形式を変換するための基底を分析領域毎に個別に生成する分析ステップと、
前記設定ステップの処理により設定された１以上の前記処理領域のそれぞれを処理対象に１つずつ順次設定し、前記分析ステップの処理により生成された分析領域毎の前記基底のうちの所定の１つを利用して、処理対象の前記処理領域を構成する複数の前記処理データのそれぞれの表現形式を変換する変換ステップと
を含むことを特徴とするプログラム。
【請求項２０】
少なくとも第１のアクセスユニットと第２のアクセスユニットから構成されるデータが元データとされて、
前記第１のアクセスユニットから、複数の処理データからなる第１の処理領域が１以上設定され、
設定された１以上の前記第１の処理領域のそれぞれが処理対象に１つずつ順次設定され、処理対象の前記第１の処理領域についての、前記第２のアクセスユニットに対する動きベクトルが推定され、
設定された１以上の前記第１の処理領域のそれぞれが処理対象に１つずつ順次設定され、前記第２のアクセスユニットにおける、処理対象の前記第１の処理領域の位置から前記動きベクトルに対応する分だけ離間している領域が分析領域として設定され、処理対象の前記第１の処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置であって、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換手段と
を備えることを特徴とするデータ逆変換装置。
【請求項２１】
前記元データにはアナログ歪みが生じている
ことを特徴とする請求項２０に記載のデータ逆変換装置。
【請求項２２】
１以上の前記第２の処理領域のそれぞれに対して、それぞれに対応付けられた前記基底のそれぞれが重畳されたデータの代わりに、１以上の前記第２の処理領域のそれぞれに対して、それぞれに対応付けられた前記基底のそれぞれを生成するために必要な情報である基底生成用情報がそれぞれ対応付けられて重畳されたデータが、前記入力データのうちの少なくとも一部として入力される場合には、
前記分離手段は、前記入力データから、１以上の前記第２の処理領域のそれぞれと、それぞれに対応付けられた前記基底生成用情報のそれぞれとを分離し、
前記分離手段により前記入力データから分離された１以上の前記第２の処理領域にそれぞれ対応付けられた前記基底生成用情報を利用して、１以上の前記第２の処理領域にそれぞれ対応付けられた前記基底を生成する基底生成手段をさらに備え、
前記逆変換手段は、前記分離手段により前記入力データから分離された１以上の前記第２の処理領域のそれぞれを処理対象に１つずつ順次設定し、前記生成手段により生成された前記基底のうちの処理対象の前記第２の処理領域に対応付けられた基底を利用して、処理対象の前記第２の処理領域を構成する複数の前記処理データのそれぞれの表現形式を逆変換する
ことを特徴とする請求項２０に記載のデータ逆変換装置。
【請求項２３】
前記入力データに含まれる１以上の前記第２の処理領域のうちの１つに対応付けられた前記基底は、その１つの第２の処理領域に対応する前記第１の処理領域が処理対象とされたときに設定された前記分析領域から、複数の分析データが分割され、複数の前記分析データを対象とする主成分分析が行われることで、生成されており、
その１つの第２の処理領域に対応づけられた前記基底が生成されるときに利用された前記動きベクトルが、その１つの第２の処理領域に対応付けられた前記基底生成用情報とされており、
前記基底生成手段は、
前記入力データから分離された１以上の前記第２の処理領域のそれぞれを処理対象に１つずつ順次設定し、
前記第２のアクセスユニットにおける、処理対象の前記第２の処理領域の位置から、処理対象の前記第２の処理領域に対応付けられた前記動きベクトルに対応する分だけ離間している領域を分析領域として設定し、
設定された前記分析領域を複数の前記分析データに分割し、複数の前記分析データを対象とする主成分分析を行うことで、
処理対象の前記第２の処理領域に対応付けられた前記基底を生成する
ことを特徴とする請求項２２に記載のデータ逆変換装置。
【請求項２４】
少なくとも第１のアクセスユニットと第２のアクセスユニットから構成されるデータが元データとされて、
前記第１のアクセスユニットから、複数の処理データからなる第１の処理領域が１以上設定され、
設定された１以上の前記第１の処理領域のそれぞれが処理対象に１つずつ順次設定され、処理対象の前記第１の処理領域についての、前記第２のアクセスユニットに対する動きベクトルが推定され、
設定された１以上の前記第１の処理領域のそれぞれが処理対象に１つずつ順次設定され、前記第２のアクセスユニットにおける、処理対象の前記第１の処理領域の位置から前記動きベクトルに対応する分だけ離間している領域が分析領域として設定され、処理対象の前記第１の処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力されるデータ逆変換装置のデータ逆変換方法であって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換ステップと
を含むことを特徴とするデータ逆変換方法。
【請求項２５】
少なくとも第１のアクセスユニットと第２のアクセスユニットから構成されるデータが元データとされて、
前記第１のアクセスユニットから、複数の処理データからなる第１の処理領域が１以上設定され、
設定された１以上の前記第１の処理領域のそれぞれが処理対象に１つずつ順次設定され、処理対象の前記第１の処理領域についての、前記第２のアクセスユニットに対する動きベクトルが推定され、
設定された１以上の前記第１の処理領域のそれぞれが処理対象に１つずつ順次設定され、前記第２のアクセスユニットにおける、処理対象の前記第１の処理領域の位置から前記動きベクトルに対応する分だけ離間している領域が分析領域として設定され、処理対象の前記第１の処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換ステップと
を含むプログラムを記録していることを特徴とする記録媒体。
【請求項２６】
少なくとも第１のアクセスユニットと第２のアクセスユニットから構成されるデータが元データとされて、
前記第１のアクセスユニットから、複数の処理データからなる第１の処理領域が１以上設定され、
設定された１以上の前記第１の処理領域のそれぞれが処理対象に１つずつ順次設定され、処理対象の前記第１の処理領域についての、前記第２のアクセスユニットに対する動きベクトルが推定され、
設定された１以上の前記第１の処理領域のそれぞれが処理対象に１つずつ順次設定され、前記第２のアクセスユニットにおける、処理対象の前記第１の処理領域の位置から前記動きベクトルに対応する分だけ離間している領域が分析領域として設定され、処理対象の前記第１の処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として入力される装置を制御するコンピュータに実行させるプログラムであって、
前記入力データから、１以上の前記第２の処理領域のそれぞれと、それぞれに対応づけられた前記基底のそれぞれとを分離する分離ステップと、
前記分離ステップの処理により前記入力データから分離された１以上の前記第２の処理領域のそれぞれを処理対象に１つずつ順次設定し、前記分離ステップの処理により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換ステップと
を含むことを特徴とするプログラム。
【請求項２７】
画像データの表現形式を変換する変換部と、前記画像データの、前記変換部により変換された表現形式を逆変換する逆変換部とを構成要素として含む情報処理システムにおいて、
前記変換部は、
少なくとも第１のアクセスユニットと第２のアクセスユニットから構成される画像データが入力データとして入力され、
前記第１のアクセスユニットから、複数の処理データからなる処理領域を１以上設定する設定手段と、
前記設定手段により設定された１以上の前記処理領域のそれぞれを処理対象に１つずつ順次設定し、前記第２のアクセスユニットから処理対象の前記処理領域に対応する分析領域を設定し、処理対象の前記処理領域を構成する複数の前記処理データの表現形式を変換するための基底を分析領域毎に個別に生成する分析手段と、
前記設定手段により設定された１以上の前記処理領域のそれぞれを処理対象に１つずつ順次設定し、前記分析手段により生成された分析領域毎の前記基底のうちの所定の１つを利用して、処理対象の前記処理領域を構成する複数の前記処理データのそれぞれの表現形式を変換する変換手段と
を有する
ことを特徴とする情報処理システム。
【請求項２８】
画像データの表現形式を変換する変換部と、前記画像データの、前記変換部により変換された表現形式を逆変換する逆変換部とを構成要素として含む情報処理システムにおいて、
前記変換部は、
少なくとも第１のアクセスユニットと第２のアクセスユニットから構成される画像データが入力データとして入力され、
前記第１のアクセスユニットから、複数の処理データからなる処理領域を１以上設定する設定手段と、
前記設定手段により設定された１以上の前記処理領域のそれぞれを処理対象に１つずつ順次設定し、処理対象の前記処理領域についての、前記第２のアクセスユニットに対する動きベクトルを推定する動きベクトル推定手段と、
前記設定手段により設定された１以上の前記処理領域のそれぞれを処理対象に１つずつ順次設定し、前記第２のアクセスユニットにおける、処理対象の前記処理領域の位置から前記動きベクトルに対応する分だけ離間している領域を分析領域として設定し、処理対象の前記処理領域を構成する複数の前記処理データの表現形式を変換するための基底を分析領域毎に個別に生成する分析手段と、
前記設定手段により設定された１以上の前記処理領域のそれぞれを処理対象に１つずつ順次設定し、前記分析手段により生成された分析領域毎の前記基底のうちの所定の１つを利用して、処理対象の前記処理領域を構成する複数の前記処理データのそれぞれの表現形式を変換する変換手段と
を有する
ことを特徴とする情報処理システム。
【請求項２９】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
少なくとも第１のアクセスユニットと第２のアクセスユニットから構成されるデータが元データとされ、
前記第１のアクセスユニットから、複数の処理データからなる第１の処理領域が１以上設定され、
設定された１以上の前記第１の処理領域のそれぞれが処理対象に１つずつ順次設定され、前記第２のアクセスユニットから処理対象の前記第１の処理領域に対応する分析領域が設定され、処理対象の前記処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換手段と
を有する
ことを特徴とする情報処理システム。
【請求項３０】
画像データの表現形式を変換する変換部と、前記画像データの、前記変換部により変換された表現形式を逆変換する逆変換部とを構成要素として含む情報処理システムにおいて、
前記変換部、または、前記変換部以外の装置により、
少なくとも第１のアクセスユニットと第２のアクセスユニットから構成されるデータが元データとされて、
前記第１のアクセスユニットから、複数の処理データからなる第１の処理領域が１以上設定され、
設定された１以上の前記第１の処理領域のそれぞれが処理対象に１つずつ順次設定され、処理対象の前記第１の処理領域についての、前記第２のアクセスユニットに対する動きベクトルが推定され、
設定された１以上の前記第１の処理領域のそれぞれが処理対象に１つずつ順次設定され、前記第２のアクセスユニットにおける、処理対象の前記第１の処理領域の位置から前記動きベクトルに対応する分だけ離間している領域が分析領域として設定され、処理対象の前記第１の処理領域を構成する複数の前記処理データの表現形式を変換するための基底が分析領域毎に個別に生成され、
設定された１以上の前記第１の処理領域のそれぞれが処理対象に１つずつ順次設定され、生成された分析領域毎の前記基底のうちの所定の１つが利用されて、処理対象の前記第１の処理領域を構成する複数の前記処理データのそれぞれの表現形式が変換され、その結果、表現形式が変換された複数の前記処理データから構成される１以上の第２の処理領域のそれぞれが生成され、
生成された１以上の前記第２の処理領域のそれぞれに対して、それぞれの生成に利用された前記基底がそれぞれ対応付けられて重畳されたデータが、入力データのうちの少なくとも一部として前記逆変換部に入力され、
前記逆変換部は、
前記入力データから、１以上の前記第２の処理領域のそれぞれと、それぞれに対応づけられた前記基底のそれぞれとを分離する分離手段と、
前記分離手段により前記入力データから分離された１以上の前記第２の処理領域のそれぞれを処理対象に１つずつ順次設定し、前記分離手段により前記入力データから分離された前記基底のうちの処理対象の前記第２の処理領域に対応付けられた基底を利用して、処理対象の前記第２の処理領域を構成する複数の前記処理データのそれぞれの表現形式を逆変換する逆変換手段と
を有する
ことを特徴とする情報処理システム。
【手続補正２】
【補正対象書類名】明細書
【補正対象項目名】発明の名称
【補正方法】変更
【補正の内容】
【発明の名称】データ変換装置および方法、データ逆変換装置および方法、情報処理システム、記録媒体、並びにプログラム
【手続補正３】
【補正対象書類名】明細書
【補正対象項目名】００２５
【補正方法】削除
【補正の内容】
【手続補正４】
【補正対象書類名】明細書
【補正対象項目名】００３７
【補正方法】削除
【補正の内容】
【手続補正５】
【補正対象書類名】明細書
【補正対象項目名】００３８
【補正方法】削除
【補正の内容】
【手続補正６】
【補正対象書類名】明細書
【補正対象項目名】００３９
【補正方法】削除
【補正の内容】
【手続補正７】
【補正対象書類名】明細書
【補正対象項目名】００４０
【補正方法】削除
【補正の内容】
【手続補正８】
【補正対象書類名】明細書
【補正対象項目名】００４１
【補正方法】削除
【補正の内容】
【手続補正９】
【補正対象書類名】明細書
【補正対象項目名】００４２
【補正方法】削除
【補正の内容】
【手続補正１０】
【補正対象書類名】明細書
【補正対象項目名】００５１
【補正方法】削除
【補正の内容】
【手続補正１１】
【補正対象書類名】明細書
【補正対象項目名】００５２
【補正方法】削除
【補正の内容】
【手続補正１２】
【補正対象書類名】明細書
【補正対象項目名】００５３
【補正方法】削除
【補正の内容】
【手続補正１３】
【補正対象書類名】明細書
【補正対象項目名】００５８
【補正方法】削除
【補正の内容】
【手続補正１４】
【補正対象書類名】明細書
【補正対象項目名】００５９
【補正方法】削除
【補正の内容】
【手続補正１５】
【補正対象書類名】明細書
【補正対象項目名】００６０
【補正方法】削除
【補正の内容】
【手続補正１６】
【補正対象書類名】明細書
【補正対象項目名】００６３
【補正方法】削除
【補正の内容】
【手続補正１７】
【補正対象書類名】明細書
【補正対象項目名】００６４
【補正方法】削除
【補正の内容】
【手続補正１８】
【補正対象書類名】明細書
【補正対象項目名】００６５
【補正方法】削除
【補正の内容】
【手続補正１９】
【補正対象書類名】明細書
【補正対象項目名】００６８
【補正方法】削除
【補正の内容】
【手続補正２０】
【補正対象書類名】明細書
【補正対象項目名】００６９
【補正方法】削除
【補正の内容】
【手続補正２１】
【補正対象書類名】明細書
【補正対象項目名】００７０
【補正方法】削除
【補正の内容】
【手続補正２２】
【補正対象書類名】明細書
【補正対象項目名】００７３
【補正方法】削除
【補正の内容】
【手続補正２３】
【補正対象書類名】明細書
【補正対象項目名】００７４
【補正方法】削除
【補正の内容】
【手続補正２４】
【補正対象書類名】明細書
【補正対象項目名】００７５
【補正方法】削除
【補正の内容】